(57)【要約】【課題】安価で、設置が容易且つ確実に静電気を除電できる設置型電気除去具を提供する。【解決手段】コロナ放電電極を筐体にはめ込んで、アースとなる物体に押し付け、導通させ静電気を除去する静電気除去具。【選択図】図１
2004087365.tif 000002
【特許請求の範囲】
【請求項１】
静電気を除去する為の静電気除去具であって、該静電気除去具はコロナ放電を起こす為の導電繊維をケースに組み込み、前記導電繊維を組み込んだケースを直接アースとなる導電物に接触する様に設置し、導通させ静電気を除去することを特徴とする静電気除去具。
【請求項２】
前記、コロナ放電を起こす為の導電繊維を組み込んだケースは、導電体であることを特徴とする請求項１記載の静電気除去具。
【請求項３】
前記、コロナ放電を起こす為の導電繊維を組み込んだケースは、非絶縁体であることを特徴とする請求項１記載の静電気除去具。
【請求項４】
静電気を除去する為の静電気除去具であって、該静電気除去具はアースとなる導電物に設置する際、前記導電繊維を組み込んだケースと、アースとなる導電物間に係止手段を介在させ、前記アースとなる導電物に係止することを特徴とする静電気除去具。
【発明の詳細な説明】
【０００１】
【発明の属する技術分野】
本発明は静電気の放電によって、人体が受けるシビレや電撃を防止する静電気除去具に関する。
【０００２】
【従来技術】
カーペット等が敷いてあるオフィス、ホテルなどで部屋の出入りの際、ドアノブなどに手を触れた瞬間に静電気によるシビレ、電撃を受けることがある。特に冬季の乾燥期に多い。
これは、カーペットを敷いてある床上を歩くことにより靴、スリッパとカーペットとの摩擦により人体に静電気が帯電することに起因するものであり、ドアノブなどの導体に手を触れたとき、人体からドアノブへ静電気が放電するため生じる衝撃である。静電気放電は特に金属性で、しかもドア、ドアフレーム、窓フレーム等の様に表面積が大きいものに触れたとき発生し易く、一般に人体が２ｋｖ以上に帯電すると静電気によるシビレ、電撃を感じることが知られている。
【０００３】
人体から金属などの導体に静電気放電が一瞬に生じるとシビレ、電撃の原因となるため、シビレ、電撃の防止方法としては静電気の放電時間を高抵抗体を介することで長くする接触式静電気除去方式と、導電繊維を使用してコロナ放電させることで、徐々に電荷を放出させる非接触式静電気除去方式が採用されている。
【０００４】
この静電気除去具の構成としては、静電気除去具の静電気入力電極を手で持ち、静電気出力電極をドアノブ等の金属に接触させて放電する携帯型静電気除去具、ドアなどの金属部に静電気出力電極を予め接続させた状態で静電気除去具本体を設置しておき、使用時に静電気入力電極に触れる事で放電する設置型静電気除去具が有る。
【０００５】
【発明が解決しようとする課題】
設置型静電気除去具には、コロナ放電を利用した非接触式の物と、直接電極をアースに接触させる接触方式の物とがある。非接触式の静電気入力電極には、導電性繊維をフェルト状にした物が用いられ、導電性繊維の材料としては、ステンレス、ニッケル、銅等の金属繊維、又は導電処理を施した天然又は合成の繊維が用いられる。非接触式の放電電極を使用した場合、帯電した人間の手指等が静電気入力電極との距離が近づくにつれて徐々にコロナ放電するために、使用者が電気ショックを感じにくい等の利点があるが、コロナ放電をしやすくする為には、静電気入力電極、静電気出力電極、アース間のそれぞれの抵抗値を出来るだけ低くしなければならない。
【０００６】
従来の非接触式静電気除去具の構成としては、天然、又は合成の繊維に、導電繊維を混ぜ込んで板状に成形することで静電気除去具全体に導電性を持たせ、表面に繊維の端を突出させることでコロナ放電を起こす静電気入力電極とし、静電気除去具裏側全体を静電気出力電極とする方式が知られている。
【０００７】
但し、先にも述べたように静電気出力電極とアース間の電気抵抗は出来るだけ低くなければならない。静電気除去具を、ドア、壁、自動車等のアースとなる物に取り付ける場合、粘着剤での貼り付けが考えられるが、一般的に粘着剤は不導体であり、静電気出力電極とアース間を絶縁してしまう恐れがある。
【０００８】
そこで、粘着剤にニッケル、カーボン等の導電物質の粉末を練り込み導電性を持たせる。粘着剤を全面に塗布せずに、静電気出力電極面とアースを直接接触する部分を残しておく。その他、アースとなる導電物に金属製のネジで留めてしまう等の方法がとられる。だが、導電性の粘着剤を使用した場合には、特殊な粘着剤の使用によるコストの増加及び静電気出力電極とアースとなる導電物間の抵抗増加の問題が起こる恐れがある。粘着剤を全面に塗布しない方式では、静電気出力電極とアースが密着せずに、通電しない恐れがある。アースとなる導電物に金属性のネジを使用したネジ留めは、電気的には問題は出にくいが、設置作業が面倒になる上、アースとなる導電物に穴を開けなければならない為に使用できる場面が限られる。
【０００９】
一方、前記設置型静電気除去具の接触方式の構成としては、主に導電ゴム、導電性の樹脂、金属等を成形又は切削し、静電気除去具全体が高抵抗を持った導電体に成るように作られる。アースとなる導電物に直接接触させて放電させる為、静電気を速やかに完全に放電させる事が出来るが、放電のショックを和らげる程度の効果しかない為に、「抵抗体の抵抗値が適切でない」「使用者が異常に多くの電荷持っていた」「使用者が敏感であった」等の場合に、放電時に電気ショックを感じやすい。
【００１０】
設置方法としては、非接触式と同様の方法がとられ、導電性粘着剤の抵抗による不具合が起こらない事以外は、同様の問題を抱える。
【００１１】
【課題を解決するための手段】
本発明は上記した問題点に鑑み発明されたものであり、静電気を除去する為の静電気除去具であって、該静電気除去具はコロナ放電を起こす為の導電繊維をケースに組み込み、前記導電繊維を組み込んだケースを直接アースとなる導電物に接触する様に設置し、導通させ静電気を除去する静電気除去具を提案するものである。
【００１２】
【発明の実施の形態】
綿状、又はフエルト状の導電繊維を、樹脂、紙、木材、等で作成したケースに組み込み、アースとなる導電物に押し付ける構造にすることで導通を取り、アースと逆側の導電繊維は使用者が接触できるよう、穴の空いた構造にする静電気除去具。
【００１３】
【作用】
導電繊維を筐体で押し付ける構造にする為に、アースとなる導電物と導電繊維の導通が安易に確実に行われる為、帯電した使用者が静電気入力部に触ることにより、電気ショックを感じることなく、確実に静電気を除去することが出来る。
【００１４】
【実施例】
以下、本発明を添付図面を参照して説明する。図１は、本発明の一実施例を示す構成図である。符号１は、厚紙、木材、金属等、１ｍｍ〜１０ｍｍ程度の厚みを持つ材料で作られたケースである。このケース１には、コロナ放電電極付け穴２が空いており、綿状、フエルト状、布状、紐状の導電繊維からなるコロナ放電電極３がはめ込まれる。
【００１５】
コロナ放電電極３の厚みは、ケース１より厚くする必要がある。これは、コロナ放電電極３をアースとなる物体に押し付けて導通させる為で、コロナ放電電極３の状態、材質によって厚みを調節する必要がある。
ケース１の表面には、コロナ放電電極３を取り付け穴２に当たる部分に符号４の放電孔を開けられた、樹脂、金属、紙等で作られた化粧板５を貼り付ける。化粧板５は、コロナ放電電極３を押さえてアースとなる導電物に押し付ける役目と、ケース１に厚紙など脆弱な素材を使用したときの保護の役割を持つ。
【００１６】
ケース１の裏面は、コロナ放電電極３の機能に影響を与えない為、接着間、粘着材、両面テープ、磁石等、使用状況に応じてあらゆる固定材料を用いて、アースとなる物体に固定することが出来る。ここでアースとなる導電物とは、帯電した使用者（図示せず）が触ると、静電気の放電によるショックを感じる場所を指し、部屋ドア、エレベーターのボタン、車のボディ、等が挙げられる。但し、金属等、表面が導電性の有る物に限られ、塗装された面には適さない。塗装面に使用したい場合には、塗装面を削り取って、金属面を露出させるなどの工夫が必要となる。
【００１７】
前記コロナ放電電極３は、ステンレス繊維のウェブやフェルト、金属をメッキした合成繊維の織布および不織布、カーボンブラック等の導電材料を添加した合成繊維の織布および不織布、発泡性の導電性ポリエチレン樹脂、同様の発泡性の導電性ウレタン樹脂などが使用できる。コロナ放電電極３の形状は、静電気を放電しやすくするために、表面積が大きい方が好ましいので繊維状のものが好ましく、更に、先端が鋭端である方が好ましい。
【００１８】
ケース１及び、化粧板５を汎用性樹脂などの絶縁材料で一体成型することも出来る。汎用性樹脂の具体例としては、ポリエチレン、ポリプロピレン、ポリアミド、ポリスチレン、ポリエステル、ポリウレタン、ポリカーボネート、ポリ塩化ビニール、ポリエポキシ、ポリアクリロニトリル、アクリルニトリル−ブタジエン−スチレン共重合体、アクリルニトリル−スチレン共重合体などの熱可塑性樹脂又は熱硬化性樹脂が挙げられる。又、シリコンゴム、エラストマー等の弾力性のある軟性樹脂を使えば設置場所の形状を選ばず、ドアノブ等の曲面に貼り付けることも出来る。
【００１９】
上記実施例について実際の使用例を説明する。
厚さ１．５ｍｍの厚紙で作られたケース１に、縦２０ｍｍ、横２０ｍｍ、厚さ約１．８ｍｍの、ステンレス製繊維フエルト製コロナ放電電極３を設置し、厚さ０．３ｍｍのＰＥＴフィルムの化粧板５を貼り付ける。化粧板５には、格子状に放電孔４を設ける。
【００２０】
ケース１の裏面には、両面テープを貼り付け、ステンレス製のドアに貼り付ける。
静電気に帯電した使用者が手指を本静電気除去具の放電孔４に近づけて行くと、臨界点に達した時点でコロナ放電が始まり、指と放電孔４が近づくにつれて徐々に放電して行き、使用者は痺れ、電気ショックを感じぬ内に、放電孔に触れた時点でドアと使用者の電位差は０に成る。放電孔を通りコロナ放電電極３に入った電荷は、コロナ放電電極３の裏面よりドアに逃げて行く。
使用者とドアの電位差は０に成るので、この直後に使用者がドアに触れても痺れ、電気ショックを感じることはない。
【００２１】
【発明の効果】
以上、詳細に説明したように本発明では、導電繊維を一部分にだけ使用すること、設置を容易にすることで安価で、導電繊維をアースとなる導電物に押し付ける様に設置することで確実に静電気を除去する設置型静電気除去具を作ることが出来る。
【図面の簡単な説明】
【図１】本発明の構成図
【符号の説明】
１　　ケース
２　　　　電極付け穴
３　　　　コロナ放電電極
４　　　　放電孔
５　　　　化粧板
【図１】
2004087365.tif 000003